(57)【特許請求の範囲】
【請求項１】
ビード部のリムと接触する箇所に設けられたリムクッションゴムと、
前記リムクッションゴムとともに配置されて前記リムクッションゴムの外面に前記リムと接触するように一端が露出し前記リムクッションゴムに隣接し電気を流し得るタイヤ構成部材に他端が接触して設けられており、前記リムクッションゴムよりも電気抵抗値が低い導電性ゴムと、
を備え、
前記導電性ゴムは、子午断面において、全体が、前記ビード部におけるビードコアのタイヤ径方向内側端を基準とする水平線よりもタイヤ径方向内側に配置され、かつ前記一端の位置における前記ビード部のプロファイルとの法線に対して±４５°の範囲に前記他端が配置されることを特徴とする空気入りタイヤ。
【請求項２】
ビード部のリムと接触する箇所に設けられたリムクッションゴムと、
前記リムクッションゴムとともに配置されて前記リムクッションゴムの外面に前記リムと接触するように一端が露出し前記リムクッションゴムに隣接し電気を流し得るタイヤ構成部材に他端が接触して設けられており、前記リムクッションゴムよりも電気抵抗値が低い導電性ゴムと、
を備え、
前記導電性ゴムは、前記リムクッションゴムに隣接するタイヤ構成部材であるインナーライナー層に他端が接触して設けられることを特徴とする空気入りタイヤ。
【請求項３】
前記導電性ゴムは、子午断面において、前記一端が、前記ビード部におけるビードコアのタイヤ径方向内側端を基準とする水平線よりもタイヤ径方向内側に配置されていることを特徴とする請求項２に記載の空気入りタイヤ。
【請求項４】
前記導電性ゴムは、子午断面において、前記一端の位置における前記ビード部のプロファイルとの法線に対して±４５°の範囲に前記他端が配置されることを特徴とする請求項３に記載の空気入りタイヤ。
【請求項５】
前記導電性ゴムは、前記リムクッションゴムに隣接するタイヤ構成部材であるカーカス層に他端が接触して設けられることを特徴とする請求項１に記載の空気入りタイヤ。
【請求項６】
前記導電性ゴムは、子午断面における厚み方向の幅が０．５ｍｍ以上１０．０ｍｍ以下であることを特徴とする請求項１〜５のいずれか一つに記載の空気入りタイヤ。
【請求項７】
前記導電性ゴムは、子午断面における厚み方向の幅が０．５ｍｍ以上６．０ｍｍ以下であることを特徴とする請求項１〜５のいずれか一つに記載の空気入りタイヤ。
【請求項８】
前記導電性ゴムは、子午断面において、前記一端の厚み方向の幅が、前記他端との間の最大幅よりも大きいことを特徴とする請求項１〜７のいずれか一つに記載の空気入りタイヤ。
【請求項９】
前記導電性ゴムは、子午断面において、前記他端の厚み方向の幅が、前記一端との間の最大幅よりも大きいことを特徴とする請求項１〜８のいずれか一つに記載の空気入りタイヤ。
【請求項１０】
前記導電性ゴムは、子午断面において、前記一端の厚み方向の幅が、前記他端の幅よりも大きいことを特徴とする請求項１〜９のいずれか一つに記載の空気入りタイヤ。
【請求項１１】
前記導電性ゴムは、電気抵抗値が１×１０６Ω以下であることを特徴とする請求項１〜１０のいずれか一つに記載の空気入りタイヤ。
【請求項１２】
前記導電性ゴムが複数箇所に設けられていることを特徴とする請求項１〜１１のいずれか一つに記載の空気入りタイヤ。
【請求項１３】
カーカス層のコートゴムおよびサイドウォール部のサイドゴムの６０℃における損失正接ｔａｎδが０．１２以下であり、かつ前記カーカス層のコートゴムおよび前記サイドウォール部のサイドゴムの電気抵抗値が１×１０７Ω以上であることを特徴とする請求項１〜１２のいずれか一つに記載の空気入りタイヤ。
【請求項１４】
トレッド部に、トレッド部の外面に一端が露出しトレッド部の内部に他端が設けられたアーストレッドゴムを有することを特徴とする請求項１〜１３のいずれか一つに記載の空気入りタイヤ。
【発明の詳細な説明】
【技術分野】
【０００１】
本発明は、耐転がり抵抗性能および高速耐久性能と、電気抵抗低減性能とを両立することのできる空気入りタイヤに関するものである。
【背景技術】
【０００２】
従来、例えば、特許文献１は、トレッド部と、サイドウォール部と、ビード部と、トレッド部からサイドウォール部を経てビード部に至るカーカスと、カーカスのタイヤ半径方向外側にブレーカーを備えた空気入りタイヤであって、トレッド部、ブレーカーおよびサイドウォール部にそれぞれ形成されるトレッドゴム、ブレーカーゴムおよびサイドウォールゴムの体積固有抵抗は、いずれも１×１０８Ω・ｃｍ以上であり、さらにカーカスを構成するカーカスプライとサイドウォールゴムとの間、およびブレーカーとトレッド部の間に配置されて厚みが０．２ｍｍ〜３．０ｍｍの導電性ゴムと、導電性ゴムと接続し一部がトレッド部の表面に露出するようにトレッド部に埋設される通電ゴムと、導電性ゴムの下端と連結しビード部のリムフランジに接する領域に配置されるクリンチと、を備え、導電性ゴム、通電ゴムおよびクリンチゴムの体積固有抵抗が１×１０８Ω・ｃｍ未満である空気入りタイヤが示されている。
【先行技術文献】
【特許文献】
【０００３】
【特許文献１】特開２００９−０２３５０４号公報
【発明の概要】
【発明が解決しようとする課題】
【０００４】
上述した特許文献１の空気入りタイヤは、転がり抵抗を低く維持しながら路面とタイヤの走行時に発生する静電気を効果的に放出することを目的としている。しかし、特許文献１の空気入りタイヤは、カーカスを構成するカーカスプライとサイドウォールゴムとの間、およびブレーカーとトレッド部の間に配置されて厚みが０．２ｍｍ〜３．０ｍｍの導電性ゴムと、導電性ゴムの下端と連結しビード部のリムフランジに接する領域に配置されるクリンチと、を備え、これらの体積固有抵抗が１×１０８Ω・ｃｍ未満とされている。すなわち、特許文献１の空気入りタイヤは、カーカスプライとサイドウォールゴムとの間、およびブレーカーとトレッド部の間の導電性ゴムや、ビード部のリムフランジに接する領域のクリンチゴムが、電気抵抗の低いゴム材で形成されている。この結果、電気抵抗の低いゴム材は、発熱が大きいため、耐転がり抵抗性能や高速耐久性能が低下する傾向となる。【０００５】
本発明は、上記に鑑みてなされたものであって、耐転がり抵抗性能および高速耐久性能と、電気抵抗低減性能とを両立することのできる空気入りタイヤを提供することを目的とする。
【課題を解決するための手段】
【０００６】
上述した課題を解決し、目的を達成するために、第１の発明の空気入りタイヤは、ビード部のリムと接触する箇所に設けられたリムクッションゴムと、前記リムクッションゴムとともに配置されて前記リムクッションゴムの外面に前記リムと接触するように一端が露出し前記リムクッションゴムに隣接するタイヤ構成部材に他端が接触して設けられており、前記リムクッションゴムよりも電気抵抗値が低い導電性ゴムと、を備えることを特徴とする。【０００７】
この空気入りタイヤによれば、リムクッションゴムよりも電気抵抗値が低い導電性ゴムを備えることで、リムから入った電気が導電性ゴム、タイヤ構成部材を通ってトレッド部側に流れる。このため、リムクッションゴムに電気抵抗値を考慮せず低発熱性のゴムを採用することができ、耐転がり抵抗性能および高速耐久性能を向上することができる。この結果、耐転がり抵抗性能および高速耐久性能と、電気抵抗低減性能とを両立することができる。【０００８】
第２の発明の空気入りタイヤは、第１の発明において、前記導電性ゴムは、子午断面において、前記一端が、前記ビード部におけるビードコアのタイヤ径方向内側端を基準とする水平線よりもタイヤ径方向内側に配置されていることを特徴とする。【０００９】
水平線よりもタイヤ径方向内側となる範囲では、ビードコアがリムに嵌まり込むためリムとの接触圧が高く、高速走行時でも安定してリムに接触する。従って、この空気入りタイヤによれば、効率よく電気抵抗を低減しながら、耐転がり抵抗性能および高速耐久性能との両立を図ることができる。【００１０】
第３の発明の空気入りタイヤは、第２の発明において、前記導電性ゴムは、子午断面において、前記一端の位置における前記ビード部のプロファイルとの法線に対して±４５°の範囲に前記他端が配置されることを特徴とする。【００１１】
この空気入りタイヤによれば、法線に対して±４５°の範囲に導電性ゴムの他端を配置することで、導電性ゴムの体積の増加を抑制するため、発熱を抑えて耐転がり抵抗性能および高速耐久性能をを維持することができる。【００１２】
第４の発明の空気入りタイヤは、第１〜第３のいずれか一つの発明において、前記導電性ゴムは、子午断面における厚み方向の幅が０．５ｍｍ以上１０．０ｍｍ以下であることを特徴とする。【００１３】
導電性ゴムの幅が０．５ｍｍ未満である場合、導電性が低く電気抵抗低減効果が低下する傾向となる。一方、導電性ゴムの幅が１０．０ｍｍを超える場合、導電性ゴムの体積が大きく発熱が大きくなるため耐転がり抵抗性能および高速耐久性能が低下する傾向となる。従って、導電性ゴムの幅を０．５ｍｍ以上１０．０ｍｍ以下とすることが、耐転がり抵抗性能および高速耐久性能と、電気抵抗低減性能とを両立するうえで好ましい。【００１４】
第５の発明の空気入りタイヤは、第１〜第３のいずれか一つの発明において、前記導電性ゴムは、子午断面における厚み方向の幅が０．５ｍｍ以上６．０ｍｍ以下であることを特徴とする。【００１５】
導電性ゴムの幅が０．５ｍｍ未満である場合、導電性が低く電気抵抗低減効果が低下する傾向となる。一方、導電性ゴムの幅を６．０ｍｍ以下とすれば、導電性ゴムの体積の増加を抑制して発熱が大きくなることを抑える。従って、導電性ゴムの幅を０．５ｍｍ以上６．０ｍｍ以下とすることが、耐転がり抵抗性能および高速耐久性能と、電気抵抗低減性能とを両立するうえでより好ましい。【００１６】
第６の発明の空気入りタイヤは、第１〜第５のいずれか一つの発明において、前記導電性ゴムは、子午断面において、前記一端の厚み方向の幅が、前記他端との間の最大幅よりも大きいことを特徴とする。【００１７】
リム側に接触する導電性ゴムの一端の幅が途中の幅より広く形成されていることで、接触面積の増大により電気の入出が良好となり電気抵抗低減効果を顕著に得ることができる。【００１８】
第７の発明の空気入りタイヤは、第１〜第６のいずれか一つの発明において、前記導電性ゴムは、子午断面において、前記他端の厚み方向の幅が、前記一端との間の最大幅よりも大きいことを特徴とする。【００１９】
構成部材側に接触する導電性ゴムの他端の幅が途中の幅より広く形成されているため、接触面積の増大により電気の入出が良好となり電気抵抗低減効果を顕著に得ることができる。【００２０】
第８の発明の空気入りタイヤは、第１〜第７のいずれか一つの発明において、前記導電性ゴムは、子午断面において、前記一端の厚み方向の幅が、前記他端の幅よりも大きいことを特徴とする。【００２１】
導電性ゴムの一端の幅が他端の幅よりも広く形成されているため、リム側からの電気の入りがより良好となり電気抵抗低減効果をより顕著に得ることができる。【００２２】
第９の発明の空気入りタイヤは、第１〜第８のいずれか一つの発明において、前記導電性ゴムは、電気抵抗値が１×１０６Ω以下であることを特徴とする。【００２３】
この空気入りタイヤによれば、導電性ゴムが電気を通しやすく電気抵抗低減効果が顕著に得られる。一方、リムクッションゴムの電気抵抗値が１×１０６Ωを超えるため低発熱性のゴムを採用することができ、耐転がり抵抗性能および高速耐久性能を向上することができる。【００２４】
第１０の発明の空気入りタイヤは、第１〜第９のいずれか一つの発明において、前記導電性ゴムが複数箇所に設けられていることを特徴とする。【００２５】
導電性ゴムを複数箇所に設けることで、電気抵抗低減効果を顕著に得ることができる。【００２６】
第１１の発明の空気入りタイヤは、第１〜第１０のいずれか一つの発明において、前記導電性ゴムは、前記リムクッションゴムに隣接するタイヤ構成部材であるカーカス層に他端が接触して設けられることを特徴とする。【００２７】
この空気入りタイヤによれば、カーカス層は、各タイヤ幅方向端部が、一対のビードコアでタイヤ幅方向内側からタイヤ幅方向外側に折り返され、かつタイヤ周方向にトロイド状に掛け回されてタイヤの骨格を構成するものであるため、このカーカス層に導電性ゴムの他端を接触させることで、リムから入った電気をトレッド部側に適宜流すことができ、電気抵抗低減性能を向上する効果を顕著に得ることができる。【００２８】
第１２の発明の空気入りタイヤは、第１〜第１０のいずれか一つの発明において、前記導電性ゴムは、前記リムクッションゴムに隣接するタイヤ構成部材であるインナーライナー層に他端が接触して設けられることを特徴とする。【００２９】
この空気入りタイヤによれば、インナーライナー層は、カーカス層の内周面であって、各タイヤ幅方向両端部が一対のビード部のビードコアの下部に至り、かつタイヤ周方向にトロイド状に掛け回されて貼り付けられているものであるため、このインナーライナー層に導電性ゴムの他端を接触させることで、リムから入った電気をトレッド部側に適宜流すことができ、電気抵抗低減性能を向上する効果を顕著に得ることができる。特に、カーカス層のコートゴムおよびサイドウォール部のサイドゴムを上記のごとく規定した場合、カーカス層のコートゴムおよびサイドウォール部のサイドゴムに低発熱性のゴムを採用することになり、耐転がり抵抗性能および高速耐久性能を向上する効果を顕著に得ることができ、しかも、インナーライナー層に導電性ゴムの他端を接触させることで、リムから入った電気をトレッド部側に適宜流すことができ、電気抵抗低減性能を向上する効果をより顕著に得ることができる。この結果、耐転がり抵抗性能および高速耐久性能と、電気抵抗低減性能とをより高い次元で両立することができる。【００３０】
第１３の発明の空気入りタイヤは、第１〜第１２のいずれか一つの発明において、カーカス層のコートゴムおよびサイドウォール部のサイドゴムの６０℃における損失正接ｔａｎδが０．１２以下であり、かつ前記カーカス層のコートゴムおよび前記サイドウォール部のサイドゴムの電気抵抗値が１×１０７Ω以上であることを特徴とする。【００３１】
この空気入りタイヤによれば、カーカス層のコートゴムおよびサイドウォール部のサイドゴムを上記のごとく規定することで、カーカス層のコートゴムおよびサイドウォール部のサイドゴムに低発熱性のゴムを採用することになり、耐転がり抵抗性能および高速耐久性能を向上する効果を顕著に得ることができ、しかも高速操縦安定性能における耐熱ダレ性能の向上も図ることができる。【００３２】
第１４の発明の空気入りタイヤは、第１〜第１３のいずれか一つの発明において、トレッド部に、トレッド部の外面に一端が露出しトレッド部の内部に他端が設けられたアーストレッドゴムを有することを特徴とする。【００３３】
この空気入りタイヤによれば、アーストレッドゴムを有することで、リムから入った電気をトレッド部のトレッド面から路面に効果的に流すことができ、電気抵抗低減性能を向上する効果を顕著に得ることができる。このため、トレッドゴムに低発熱性のゴムを採用することができ、耐転がり抵抗性能および高速耐久性能を向上する効果を顕著に得ることができる。
【発明の効果】
【００３４】
本発明に係る空気入りタイヤは、耐転がり抵抗性能および高速耐久性能と、電気抵抗低減性能とを両立することができる。
【図面の簡単な説明】
【００３５】
【図１】図１は、本発明の実施形態に係る空気入りタイヤの子午断面図である。
【図２】図２は、本発明の実施形態に係る空気入りタイヤの子午断面図である。
【図３】図３は、図１および図２に示す空気入りタイヤの要部拡大図である。
【図４】図４は、図１および図２に示す空気入りタイヤの要部拡大図である。
【図５】図５は、図１および図２に示す空気入りタイヤの要部拡大図である。
【図６】図６は、図１および図２に示す空気入りタイヤの要部拡大図である。
【図７】図７は、図１および図２に示す空気入りタイヤの要部拡大図である。
【図８】図８は、図１および図２に示す空気入りタイヤの要部拡大図である。
【図９】図９は、リム組時にビード部に掛かる圧力を示すグラフである。
【図１０】図１０は、図１および図２に示す空気入りタイヤの要部拡大図である。
【図１１】図１１は、図１および図２に示す空気入りタイヤの要部拡大図である。
【図１２】図１２は、図１および図２に示す空気入りタイヤの要部拡大図である。
【図１３】図１３は、図１および図２に示す空気入りタイヤの要部拡大図である。
【図１４】図１４は、図１および図２に示す空気入りタイヤの要部拡大図である。
【図１５】図１５は、図１および図２に示す空気入りタイヤの要部拡大図である。
【図１６】図１６は、図１および図２に示す空気入りタイヤの要部拡大図である。
【図１７】図１７は、図１および図２に示す空気入りタイヤの要部拡大図である。
【図１８】図１８は、図１および図２に示す空気入りタイヤの要部拡大図である。
【図１９】図１９は、本発明の実施例に係る空気入りタイヤの性能試験の結果を示す図表である。
【図２０】図２０は、本発明の実施例に係る空気入りタイヤの性能試験の結果を示す図表である。
【発明を実施するための形態】
【００３６】
以下に、本発明の実施形態を図面に基づいて詳細に説明する。なお、この実施形態によりこの発明が限定されるものではない。また、この実施形態の構成要素には、当業者が置換可能かつ容易なもの、あるいは実質的に同一のものが含まれる。また、この実施形態に記載された複数の変形例は、当業者自明の範囲内にて任意に組み合わせが可能である。
【００３７】
図１および図２は、本実施形態に係る空気入りタイヤの子午断面図である。
【００３８】
以下の説明において、タイヤ径方向とは、空気入りタイヤ１の回転軸（図示せず）と直交する方向をいい、タイヤ径方向内側とはタイヤ径方向において回転軸に向かう側、タイヤ径方向外側とはタイヤ径方向において回転軸から離れる側をいう。また、タイヤ周方向とは、前記回転軸を中心軸とする周り方向をいう。また、タイヤ幅方向とは、前記回転軸と平行な方向をいい、タイヤ幅方向内側とはタイヤ幅方向においてタイヤ赤道面（タイヤ赤道線）ＣＬに向かう側、タイヤ幅方向外側とはタイヤ幅方向においてタイヤ赤道面ＣＬから離れる側をいう。タイヤ赤道面ＣＬとは、空気入りタイヤ１の回転軸に直交するとともに、空気入りタイヤ１のタイヤ幅の中心を通る平面である。タイヤ幅は、タイヤ幅方向の外側に位置する部分同士のタイヤ幅方向における幅、つまり、タイヤ幅方向においてタイヤ赤道面ＣＬから最も離れている部分間の距離である。タイヤ赤道線とは、タイヤ赤道面ＣＬ上にあって空気入りタイヤ１のタイヤ周方向に沿う線をいう。本実施形態では、タイヤ赤道線にタイヤ赤道面と同じ符号「ＣＬ」を付す。
【００３９】
本実施形態の空気入りタイヤ１は、図１および図２に示すように、トレッド部２と、その両側のショルダー部３と、各ショルダー部３から順次連続するサイドウォール部４およびビード部５とを有している。また、この空気入りタイヤ１は、カーカス層６と、ベルト層７と、ベルト補強層８と、インナーライナー層９とを備えている。
【００４０】
トレッド部２は、トレッドゴム２Ａからなり、空気入りタイヤ１のタイヤ径方向の最も外側で露出し、その表面が空気入りタイヤ１の輪郭となる。トレッド部２の外周表面、つまり、走行時に路面と接触する踏面には、トレッド面２１が形成されている。トレッド面２１は、タイヤ周方向に沿って延び、タイヤ赤道線ＣＬと平行なストレート主溝である複数（本実施形態では４本）の主溝２２が設けられている。そして、トレッド面２１は、これら複数の主溝２２により、タイヤ周方向に沿って延びるリブ状の陸部２３が複数形成される。なお、主溝２２は、タイヤ周方向に沿って延在しつつ屈曲や湾曲して形成されていてもよい。また、トレッド面２１は、陸部２３において、主溝２２に交差する方向に延在するラグ溝２４が設けられている。本実施形態では、ラグ溝２４をタイヤ幅方向最外側の陸部２３に示す。ラグ溝２４は、主溝２２に交差していてもよく、またはラグ溝２４は、少なくとも一端が主溝２２に交差せず陸部２３内で終端していてもよい。ラグ溝２４の両端が主溝２２に交差する場合、陸部２３がタイヤ周方向で複数に分割されたブロック状の陸部が形成される。なお、ラグ溝２４は、タイヤ周方向に対して傾斜して延在しつつ屈曲や湾曲して形成されていてもよい。
【００４１】
ショルダー部３は、トレッド部２のタイヤ幅方向両外側の部位である。すなわち、ショルダー部３は、トレッドゴム２Ａからなる。また、サイドウォール部４は、空気入りタイヤ１におけるタイヤ幅方向の最も外側に露出したものである。このサイドウォール部４は、サイドゴム４Ａからなる。図１に示すように、サイドゴム４Ａは、タイヤ径方向外側の端部が、トレッドゴム２Ａの端部のタイヤ径方向内側に配置され、タイヤ径方向内側の端部が、後述するリムクッションゴム５Ａの端部のタイヤ幅方向外側に配置されている。また、図２に示すように、サイドゴム４Ａは、タイヤ径方向外側の端部が、トレッドゴム２Ａの端部のタイヤ径方向外側に配置されてショルダー部３まで延在していてもよい。また、ビード部５は、ビードコア５１とビードフィラー５２とを有する。ビードコア５１は、スチールワイヤであるビードワイヤをリング状に巻くことにより形成されている。ビードフィラー５２は、カーカス層６のタイヤ幅方向端部がビードコア５１の位置で折り返されることにより形成された空間に配置されるゴム材である。このビード部５は、リムＲ（図３〜図８に二点鎖線で示す）と接触する外側部分に露出するリムクッションゴム５Ａを有する。リムクッションゴム５Ａは、ビード部５の外周をなすもので、ビード部５のタイヤ内側から下端部を経てタイヤ外側のビードフィラー５２を覆う位置（サイドウォール部４）まで至り設けられている。なお、図３〜図８において、空気入りタイヤ１をリムＲに装着した場合、リムクッションゴム５Ａは、ビード部５のタイヤ内側のビードトウのタイヤ径方向内側部分がリムＲに押圧されて変形する。
【００４２】
カーカス層６は、各タイヤ幅方向端部が、一対のビードコア５１でタイヤ幅方向内側からタイヤ幅方向外側に折り返され、かつタイヤ周方向にトロイド状に掛け回されてタイヤの骨格を構成するものである。このカーカス層６は、タイヤ周方向に対する角度がタイヤ子午線方向に沿いつつタイヤ周方向にある角度を持って複数並設されたカーカスコード（図示せず）が、コートゴムで被覆されたものである。カーカスコードは、有機繊維（ポリエステルやレーヨンやナイロンなど）からなる。このカーカス層６は、少なくとも１層で設けられている。なお、図１および図２において、カーカス層６は、折り返された端部がビードフィラー５２全体を覆うように設けられているが、折り返された端部がビードフィラー５２の途中までを覆い、ビードフィラー５２とリムクッションゴム５Ａとが接触するように設けられていてもよい（図５参照）。また、カーカス層６の折り返された部分のタイヤ幅方向外側であって、リムクッションゴム５Ａとの間に、スチールコードがコートゴムで被覆されたスチール補強層１０（図６参照）が設けられていてもよい。
【００４３】
ベルト層７は、少なくとも２層のベルト７１，７２を積層した多層構造をなし、トレッド部２においてカーカス層６の外周であるタイヤ径方向外側に配置され、カーカス層６をタイヤ周方向に覆うものである。ベルト７１，７２は、タイヤ周方向に対して所定の角度（例えば、２０度〜３０度）で複数並設されたコード（図示せず）が、コートゴムで被覆されたものである。コードは、スチールまたは有機繊維（ポリエステルやレーヨンやナイロンなど）からなる。また、重なり合うベルト７１，７２は、互いのコードが交差するように配置されている。
【００４４】
ベルト補強層８は、ベルト層７の外周であるタイヤ径方向外側に配置されてベルト層７をタイヤ周方向に覆うものである。ベルト補強層８は、タイヤ周方向に略平行（±５度）でタイヤ幅方向に複数並設されたコード（図示せず）がコートゴムで被覆されたものである。コードは、スチールまたは有機繊維（ポリエステルやレーヨンやナイロンなど）からなる。図１および図２で示すベルト補強層８は、ベルト層７全体を覆うように配置され、かつベルト層７のタイヤ幅方向端部を覆うように積層配置されている。ベルト補強層８の構成は、上記に限らず、図には明示しないが、例えば、２層で、ベルト層７全体を覆うように配置されていたり、ベルト層７のタイヤ幅方向端部のみを覆うように配置されていたりしてもよい。また、ベルト補強層８の構成は、図には明示しないが、例えば、１層で、ベルト層７全体を覆うように配置されていたり、ベルト層７のタイヤ幅方向端部のみを覆うように配置されていたりしてもよい。すなわち、ベルト補強層８は、ベルト層７の少なくともタイヤ幅方向端部に重なるものである。また、ベルト補強層８は、帯状（例えば幅１０［ｍｍ］）のストリップ材をタイヤ周方向に巻き付けて設けられている。
【００４５】
インナーライナー層９は、タイヤ内面、すなわち、カーカス層６の内周面であって、各タイヤ幅方向両端部が一対のビード部５のビードコア５１の位置まで至り、かつタイヤ周方向にトロイド状に掛け回されて貼り付けられている。インナーライナー層９は、タイヤ外側への空気分子の透過を抑制するためのものである。なお、インナーライナー層９は、図１および図２に示すようにビードコア５１の下部（タイヤ径方向内側）に至り設けられているが、図８または図１０に示すようにビード部５のタイヤ内側であってビードコア５１の間近に至り設けられていてもよい。
【００４６】
図３〜図８は、図１および図２に示す空気入りタイヤの要部拡大図である。
【００４７】
上述した空気入りタイヤ１において、図３〜図８に示すように、リムクッションゴム５Ａは、導電性ゴム１１が設けられている。導電性ゴム１１は、リムクッションゴム５Ａとともに配置されてリムクッションゴム５Ａの外面（タイヤ外側：ビード部５のタイヤ幅方向外側）であってリムＲと接触する部分に一端１１ａが露出し、リムクッションゴム５Ａに隣接するタイヤ構成部材に他端１１ｂが接触して設けられている。また、導電性ゴム１１は、リムクッションゴム５Ａよりも電気抵抗値が低いゴム材からなる。この導電性ゴム１１は、タイヤ周方向で連続して設けられていても、断続して設けられていてもよい。
【００４８】
リムクッションゴム５Ａに隣接するタイヤ構成部材とは、図３および図８ではカーカス層６を示し、図４および図７ではインナーライナー層９を示し、図５ではビードフィラー５２を示し、図６ではスチール補強層１０を示している。
【００４９】
このように、本実施形態の空気入りタイヤ１は、ビード部５のリムＲと接触する箇所に設けられたリムクッションゴム５Ａと、リムクッションゴム５Ａとともに配置されてリムクッションゴム５Ａの外面にリムＲと接触するように一端１１ａが露出しリムクッションゴム５Ａに隣接するタイヤ構成部材に他端１１ｂが接触して設けられており、リムクッションゴム５Ａよりも電気抵抗値が低い導電性ゴム１１と、を備える。
【００５０】
この空気入りタイヤ１によれば、リムクッションゴム５Ａよりも電気抵抗値が低い導電性ゴム１１を備えることで、リムＲから入った電気が導電性ゴム１１、タイヤ構成部材を通ってトレッド部２側に流れる。このため、リムクッションゴム５Ａに電気抵抗値を考慮せず低発熱性のゴムを採用することができ、耐転がり抵抗性能および高速耐久性能を向上することができる。この結果、耐転がり抵抗性能および高速耐久性能と、電気抵抗低減性能とを両立することができる。
【００５１】
なお、導電性ゴム１１は、図３〜図８に示すように、リムクッションゴム５Ａに隣接するタイヤ構成部材に接触するが、複数のタイヤ構成部材に接触してもよく、リムＲから入った電気を導電性ゴム１１、タイヤ構成部材を通ってトレッド部２側に流す効果をより顕著に得ることができる。また、導電性ゴム１１の位置は、リムクッションゴム５Ａの外面に一端１１ａが露出しリムクッションゴム５Ａに隣接するタイヤ構成部材に他端１１ｂが接触する距離がより短い最短距離の位置に配置することが、リムＲから入った電気を導電性ゴム１１、タイヤ構成部材を通ってトレッド部２側に流す効果をより顕著に得るうえで好ましい。
【００５２】
また、本実施形態の空気入りタイヤ１では、図４、図７および図８に示すように、導電性ゴム１１は、子午断面において、一端１１ａが、ビード部５におけるビードコア５１のタイヤ径方向内側端を基準とする水平線Ｈよりもタイヤ径方向内側に配置されていることが好ましい。
【００５３】
水平線Ｈは、子午断面カットサンプルを後述する正規リムのリム幅相当に固定した場合に、タイヤ赤道面ＣＬに直交し、タイヤ幅方向に平行なものである。また、図４、図７および図８において、範囲Ａ−Ｂは、空気入りタイヤ１をリムＲに組み込んだときに、ビード部５がリムＲに接触する範囲である。そして、範囲Ａ−Ｂ内において、位置Ｃはビードコア５１のタイヤ内側端のタイヤ径方向内側であり、位置Ｄはビードコア５１のタイヤ外側端のタイヤ径方向内側であり、位置Ｅは水平線Ｈ上であり、位置Ｆはビードコア５１のタイヤ径方向外側のタイヤ外側であり、位置Ｇはビード部５のタイヤ外側の変曲点である。リム組時にビード部５に掛かる圧力を示すグラフである図９では、この範囲Ａ−Ｂ内における各位置の圧力を示している。また、図９において、実線は静的時（車両の停止時または低速走行時）であり、破線は高速走行時（１５０ｋｍ／ｈ以上）のビード部５に掛かる圧力を示す。
【００５４】
図９に示すように、水平線Ｈよりもタイヤ径方向内側となる位置Ａから位置Ｅの範囲では、ビードコア５１がリムＲに嵌まり込むためリムＲとの接触圧が高く、高速走行時でも安定してリムＲに接触する。従って、ビードコア５１のタイヤ径方向内側端を基準とする水平線Ｈよりもタイヤ径方向内側に導電性ゴム１１の一端１１ａを配置することで、効率よく電気抵抗を低減しながら、耐転がり抵抗性能および高速耐久性能との両立を図ることができる。なお、図９に示すように、位置Ｆから位置Ｇの範囲では、静的時はリムＲとの接触圧が高いが、高速走行時はビードコア５１を中心としてビード部５が変位し易く、リムＲとの接触圧が低下する傾向となる。
【００５５】
また、本実施形態の空気入りタイヤ１では、図１および図２に示す空気入りタイヤ１の要部拡大図である図１０に示すように、導電性ゴム１１は、子午断面において、一端１１ａの位置Ｐにおけるビード部５のプロファイルとの法線Ｎに対して±４５°の範囲に他端１１ｂが配置されることが好ましい。
【００５６】
図１０に示すように、子午断面カットサンプルを後述する正規リムのリム幅相当に固定した状態において、一端１１ａの位置Ｐは、一端１１ａの厚み方向の幅の中心位置である。法線Ｎは、ビード部５のプロファイルの位置Ｐにおける接線Ｔに直交する。そして、この法線Ｎに対して±４５°の範囲に他端１１ｂを配置することで、導電性ゴム１１の体積の増加を抑制するため、発熱を抑えて耐転がり抵抗性能および高速耐久性能を維持することができる。
【００５７】
また、本実施形態の空気入りタイヤ１では、図１および図２に示す空気入りタイヤ１の要部拡大図である図１１〜図１６に示すように、導電性ゴム１１は、子午断面における厚み方向の幅Ｗ１，Ｗ２，Ｗ３が０．５ｍｍ以上１０．０ｍｍ以下であることが好ましい。
【００５８】
幅Ｗ１は導電性ゴム１１の一端１１ａと他端１１ｂとの中間の最大（中間が広くなる場合）または最小寸法（中間が狭くなる場合）であり、幅Ｗ２は導電性ゴム１１の一端１１ａの寸法であり、幅Ｗ３は導電性ゴム１１の他端１１ｂの寸法である。
【００５９】
導電性ゴム１１の幅Ｗ１，Ｗ２，Ｗ３の最小寸法が０．５ｍｍ未満である場合、導電性が低く電気抵抗低減効果が低下する傾向となる。一方、導電性ゴム１１の幅Ｗ１，Ｗ２，Ｗ３の最大寸法が１０．０ｍｍを超える場合、導電性ゴム１１の体積が大きく発熱が大きくなるため耐転がり抵抗性能および高速耐久性能が低下する傾向となる。従って、導電性ゴム１１の幅Ｗ１，Ｗ２，Ｗ３を０．５ｍｍ以上１０．０ｍｍ以下とすることが、耐転がり抵抗性能および高速耐久性能と、電気抵抗低減性能とを両立するうえで好ましい。
【００６０】
また、本実施形態の空気入りタイヤ１では、図１および図２に示す空気入りタイヤの要部拡大図である図１１〜図１６に示すように、導電性ゴム１１は、子午断面における厚み方向の幅Ｗ１，Ｗ２，Ｗ３が０．５ｍｍ以上６．０ｍｍ以下であることが好ましい。
【００６１】
導電性ゴム１１の幅Ｗ１，Ｗ２，Ｗ３の各寸法が０．５ｍｍ未満である場合、導電性が低く電気抵抗低減効果が低下する傾向となる。一方、導電性ゴム１１の幅Ｗ１，Ｗ２，Ｗ３の各寸法を６．０ｍｍ以下とすれば、導電性ゴム１１の体積の増加を抑制して発熱が大きくなることを抑える。従って、導電性ゴム１１の幅Ｗ１，Ｗ２，Ｗ３を０．５ｍｍ以上６．０ｍｍ以下とすることが、耐転がり抵抗性能および高速耐久性能と、電気抵抗低減性能とを両立するうえでより好ましい。
【００６２】
ここで、図１１では一端１１ａから他端１１ｂに至り導電性ゴム１１の幅Ｗ１，Ｗ２，Ｗ３が均等に形成された形態を示している。また、図１２では、一端１１ａから他端１１ｂに至り導電性ゴム１１の幅Ｗ１が途中で広く形成された形態を示している。この図１２に示す形態では、一端１１ａおよび他端１１ｂの幅Ｗ２，Ｗ３が０．５ｍｍ以上あればよく、途中の広い幅Ｗ１が１０．０ｍｍ（好ましくは６．０ｍｍ）以下であればよい。図１２に示す形態は、導電性ゴム１１の幅Ｗ１が途中で広く形成されているため、電気を通しやすく電気抵抗低減効果が顕著に得られる。また、図１３では、導電性ゴム１１の一端１１ａおよび他端１１ｂの幅Ｗ２，Ｗ３が均等で途中の幅Ｗ１よりも広く形成された形態を示している。また、図１４および図１５では、導電性ゴム１１の一端１１ａの幅Ｗ２または他端１１ｂの幅Ｗ３の一方が広く形成された形態を示している。また、図１６では、導電性ゴム１１の一端１１ａおよび他端１１ｂの幅Ｗ２，Ｗ３が途中の幅Ｗ１よりも広く形成され、かつ一端１１ａの幅Ｗ２が他端１１ｂの幅Ｗ３よりも広く形成された形態を示している。この図１３〜図１６に示す形態では、途中の幅Ｗ１が０．５ｍｍ以上あればよく、一端１１ａおよび他端１１ｂの幅Ｗ２，Ｗ３が１０．０ｍｍ（好ましくは６．０ｍｍ）以下であればよい。図１３〜図１６に示す形態は、リムＲ側やタイヤ構成部材側に接触する導電性ゴム１１の一端１１ａの幅Ｗ２や他端１１ｂの幅Ｗ３が途中の幅Ｗ１より広く形成されているため、接触面積の増大により電気の入出が良好となり電気抵抗低減効果が顕著に得られる。しかも、図１６に示す形態は、導電性ゴム１１の一端１１ａおよび他端１１ｂの幅Ｗ２，Ｗ３が途中の幅Ｗ１よりも広く形成され、かつ一端１１ａの幅Ｗ２が他端１１ｂの幅Ｗ３よりも広く形成されているため、リムＲ側からの電気の入りがより良好となり電気抵抗低減効果がより顕著に得られる。
【００６３】
従って、本実施形態の空気入りタイヤ１では、導電性ゴム１１は、子午断面において、一端１１ａの厚み方向の幅Ｗ２が、他端１１ｂとの間の最大幅Ｗ１よりも大きいことが好ましい。また、導電性ゴム１１は、子午断面において、他端１１ｂの厚み方向の幅Ｗ３が、一端１１ａとの間の最大幅Ｗ１よりも大きいことが好ましい。さらに、導電性ゴム１１は、子午断面において、一端１１ａの厚み方向の幅Ｗ２が、他端１１ｂの幅Ｗ３よりも大きいことが好ましい。
【００６４】
また、本実施形態の空気入りタイヤ１では、導電性ゴム１１は、電気抵抗値が１×１０６Ω以下であることが好ましい。
【００６５】
この空気入りタイヤ１によれば、導電性ゴム１１が電気を通しやすく電気抵抗低減効果が顕著に得られる。一方、リムクッションゴム５Ａの電気抵抗値が１×１０６Ωを超えるため低発熱性のゴムを採用することができ、耐転がり抵抗性能および高速耐久性能を向上することができる。
【００６６】
また、本実施形態の空気入りタイヤ１では、導電性ゴム１１が複数箇所に設けられていることが好ましい。
【００６７】
導電性ゴム１１を複数箇所に設けることで、電気抵抗低減効果を顕著に得ることができる。この場合、図９に示すように、リムＲへの接触圧が比較的高い位置Ａ〜位置Ｅの範囲や位置Ｆから位置Ｇの範囲に導電性ゴム１１の少なくとも一端１１ａを配置することが電気抵抗低減効果を図るうえで好ましい。特に、リムＲへの接触圧が常に高い位置Ａ〜位置Ｅの範囲の複数箇所に導電性ゴム１１の少なくとも一端１１ａを配置することが電気抵抗低減効果を図るうえでより好ましい。さらに、リムＲへの接触圧が常に高いビードコア５１の下部（タイヤ径方向外側）である位置Ｃ〜位置Ｄの範囲の複数箇所に導電性ゴム１１の少なくとも一端１１ａを配置することが電気抵抗低減効果を図るうえでさらに好ましい。
【００６８】
また、本実施形態の空気入りタイヤ１では、導電性ゴム１１は、リムクッションゴム５Ａに隣接するタイヤ構成部材であるカーカス層６に他端１１ｂが接触して設けられることが好ましい。
【００６９】
この空気入りタイヤ１によれば、カーカス層６は、各タイヤ幅方向端部が、一対のビードコア５１でタイヤ幅方向内側からタイヤ幅方向外側に折り返され、かつタイヤ周方向にトロイド状に掛け回されてタイヤの骨格を構成するものであるため、このカーカス層６に導電性ゴム１１の他端１１ｂを接触させることで、リムＲから入った電気をトレッド部２側に適宜流すことができ、電気抵抗低減性能を向上する効果を顕著に得ることができる。
【００７０】
また、本実施形態の空気入りタイヤ１では、カーカス層６のコートゴムおよびサイドウォール部４のサイドゴム４Ａの６０℃における損失正接ｔａｎδが０．１２以下であり、かつカーカス層６のコートゴムおよびサイドウォール部４のサイドゴム４Ａの電気抵抗値が１×１０７Ω以上であることが好ましい。なお、６０℃における損失正接ｔａｎδは、空気入りタイヤ１から採取したサンプルの測定によるものとする。
【００７１】
この空気入りタイヤ１によれば、カーカス層６のコートゴムおよびサイドウォール部４のサイドゴム４Ａを上記のごとく規定することで、カーカス層６のコートゴムおよびサイドウォール部４のサイドゴム４Ａに低発熱性のゴムを採用することになり、耐転がり抵抗性能および高速耐久性能を向上する効果を顕著に得ることができ、しかも高速操縦安定性能における耐熱ダレ性能の向上も図ることができる。
【００７２】
また、本実施形態の空気入りタイヤ１では、導電性ゴム１１は、リムクッションゴム５Ａに隣接するタイヤ構成部材であるインナーライナー層９に他端１１ｂが接触して設けられることが好ましい。
【００７３】
この空気入りタイヤ１によれば、インナーライナー層９は、カーカス層６の内周面であって、各タイヤ幅方向両端部が一対のビード部５のビードコア５１の下部に至り、かつタイヤ周方向にトロイド状に掛け回されて貼り付けられているものであるため、このインナーライナー層９に導電性ゴム１１の他端１１ｂを接触させることで、リムＲから入った電気をトレッド部２側に適宜流すことができ、電気抵抗低減性能を向上する効果を顕著に得ることができる。特に、カーカス層６のコートゴムおよびサイドウォール部４のサイドゴム４Ａを上記のごとく規定した場合、カーカス層６のコートゴムおよびサイドウォール部４のサイドゴム４Ａに低発熱性のゴムを採用することになり、耐転がり抵抗性能および高速耐久性能を向上する効果を顕著に得ることができ、しかも、インナーライナー層９に導電性ゴム１１の他端１１ｂを接触させることで、リムＲから入った電気をトレッド部２側に適宜流すことができ、電気抵抗低減性能を向上する効果をより顕著に得ることができる。この結果、耐転がり抵抗性能および高速耐久性能と、電気抵抗低減性能とをより高い次元で両立することができる。
【００７４】
また、本実施形態の空気入りタイヤ１では、図１および図２に示す空気入りタイヤ１の要部拡大図である図１７および図１８に示すように、トレッド部２に、トレッド部２の外面であるトレッド面２１に一端１２ａが露出しトレッド部２の内部に他端１２ｂが設けられたアーストレッドゴム１２を有することが好ましい。
【００７５】
この空気入りタイヤ１によれば、アーストレッドゴム１２を有することで、リムＲから入った電気をトレッド部２のトレッド面２１から路面に効果的に流すことができ、電気抵抗低減性能を向上する効果を顕著に得ることができる。このため、トレッドゴム２Ａに低発熱性のゴムを採用することができ、耐転がり抵抗性能および高速耐久性能を向上する効果を顕著に得ることができる。
【００７６】
ここで、図１７および図１８に示すように、トレッド部２をなすトレッドゴム２Ａは、トレッド面２１に露出するキャップトレッドゴム２Ａａと、キャップトレッドゴム２Ａａのタイヤ径方向内側であってベルト補強層８やベルト層７に隣接するアンダートレッドゴム２Ａｂとを有する。そして、アーストレッドゴム１２は、図１７に示すように、キャップトレッドゴム２Ａａに設けられ、他端１２ｂがアンダートレッドゴム２Ａｂに接触して配置されている。また、アーストレッドゴム１２は、図１８に示すように、アンダートレッドゴム２Ａｂを貫通して他端１２ｂがベルト補強層８やベルト層７に接触して配置されていてもよい。なお、キャップトレッドゴム２Ａａは、近年ではシリカ配合量が増加する傾向にある。シリカは絶縁性のため電気を通しにくい。このため、図１８に示すように、アンダートレッドゴム２Ａｂを貫通して他端１２ｂがベルト補強層８やベルト層７に接触して配置すれば、リムＲから入った電気をトレッド部２のトレッド面２１から路面により効果的に流すことができる。
【実施例】
【００７７】
本実施例では、条件が異なる複数種類の空気入りタイヤについて、電気抵抗低減性能であるタイヤ電気抵抗値、耐転がり抵抗性能、高速耐久性能（キャンバー付）、高速操縦安定性能（耐熱ダレ性能）に関する性能試験が行われた（図１９および図２０参照）。【００７８】
この性能試験では、タイヤサイズ２２５／４５Ｒ１７  ９１Ｗの空気入りタイヤ（試験タイヤ）を、１７×７．５Ｊの正規リムに組み付け、正規内圧（２５０ｋＰａ）を充填した。【００７９】
ここで、正規リムとは、ＪＡＴＭＡで規定する「標準リム」、ＴＲＡで規定する「Design  Rim」、あるいは、ＥＴＲＴＯで規定する「Measuring  Rim」である。また、正規内圧とは、ＪＡＴＭＡで規定する「最高空気圧」、ＴＲＡで規定する「TIRE  LOAD  LIMITS  AT  VARIOUS  COLD  INFLATION  PRESSURES」に記載の最大値、あるいはＥＴＲＴＯで規定する「INFLATION  PRESSURES」である。また、正規荷重とは、ＪＡＴＭＡで規定する「最大負荷能力」、ＴＲＡで規定する「TIRE  LOAD  LIMITS  AT  VARIOUS  COLD  INFLATION  PRESSURES」に記載の最大値、あるいはＥＴＲＴＯで規定する「LOAD  CAPACITY」である。【００８０】
電気抵抗低減性能であるタイヤ電気抵抗値の評価方法は、気温２３℃、湿度５０％の条件下にて１０００［Ｖ］の電圧を印加して、トレッド面とリム間の抵抗値の電気抵抗値Ωが測定される。この評価は、数値が小さいほど放電性が優れ、電気抵抗低減性能が優れていることを示している。【００８１】
耐転がり抵抗性能の評価方法は、室内ドラム試験機が用いられ、荷重４ｋＮおよび速度５０ｋｍ／ｈ時における抵抗力が測定される。そして、この測定結果に基づいて従来例を基準（１００）とした指数評価が行われる。この評価は、指数が大きいほど転がり抵抗が小さく、耐転がり抵抗性能が優れていることを示している。【００８２】
高速耐久性の評価方法は、試験タイヤを、規定内圧の１２０％増した内圧とし、温度８０℃の環境下で５日間乾燥劣化させた後、規定内圧とし、ドラム径１７０７ｍｍのキャンバー付ドラム試験機にて、速度１２０ｋｍ／ｈ、荷重負荷５ｋＮで走行開始し、２４時間ごとに速度を１０ｋｍ／ｈずつ増加させながら、タイヤが破損するまで試験を行ない、破損したときの走行距離を測定する。そして、この測定に基づいて、従来例を基準（１００）とした指数評価が行われる。この評価は、指数が大きいほど高速耐久性に優れていることを示している。【００８３】
高速操縦安定性能の評価方法は、試験タイヤを試験車両に装着して速度６０ｋｍ／ｈ〜１００ｋｍ／ｈで走行させレーンチェンジ時およびコーナリング時における旋回安定性、剛性感、操舵性の項目について、熟練のドライバーによる官能評価により操縦安定性能を評価した。そして、この官能評価に基づいて、従来例を基準（１００）とした指数評価が行われる。この評価は、指数が大きいほど操縦安定性能が優れていることを示している。【００８４】
図１９において、従来例および比較例の空気入りタイヤは、導電性ゴムを有していない。一方、実施例１〜実施例１２の空気入りタイヤは、図３や図５に参照する配置で、図１１に参照する形状の導電性ゴムを有している。そして、実施例４〜実施例１２の空気入りタイヤは、導電性ゴムの幅が規定の範囲である。実施例８〜実施例１２の空気入りタイヤは、導電性ゴムの電気抵抗値が規定の範囲である。実施例１０〜実施例１２の空気入りタイヤは、カーカス層のコートゴムおよびサイドゴムの６０℃における損失正接ｔａｎδや電気抵抗値が規定の範囲である。実施例３〜実施例１２の空気入りタイヤは、導電性ゴムの他端がタイヤ構成部材としてのカーカス層に接触している。実施例１１および実施例１２の空気入りタイヤは、アーストレッドゴムを有し、実施例１１の空気入りタイヤは、アーストレッドゴムがキャップトレッドゴムまで配置され、実施例１２の空気入りタイヤは、アーストレッドゴムがアンダートレッドゴムまで貫通して配置されている。【００８５】
図２０において、実施例１３〜実施例２７の空気入りタイヤは、図７や図８に参照するように一端がビードコアのタイヤ径方向内側端の水平線よりもタイヤ径方向内側に配置され、他端が図８に参照するようにタイヤ構成部材としてのカーカス層に接触している導電性ゴムを有し（実施例１３〜実施例２４）、または他端が図７に参照するようにタイヤ構成部材としてのインナーライナー層に接触している導電性ゴムを有している（実施例２５〜実施例２７）。そして、実施例１５〜実施例２７の空気入りタイヤは、導電性ゴムの幅が規定の範囲である。実施例１８〜実施例２７の空気入りタイヤは、導電性ゴムの電気抵抗値が規定の範囲である。実施例１９、実施例２２〜実施例２７の空気入りタイヤは、導電性ゴムの幅について一端が途中よりも大きい。実施例２０、実施例２２〜実施例２７の空気入りタイヤは、導電性ゴムの幅について他端が途中よりも大きい。実施例２１〜実施例２７の空気入りタイヤは、導電性ゴムの幅について一端が他端よりも大きい。実施例２４〜実施例２７の空気入りタイヤは、カーカス層のコートゴムおよびサイドゴムの６０℃における損失正接ｔａｎδや電気抵抗値が規定の範囲である。実施例２６および実施例２７の空気入りタイヤは、アーストレッドゴムを有し、実施例２６の空気入りタイヤは、アーストレッドゴムがキャップトレッドゴムまで配置され、実施例２７の空気入りタイヤは、アーストレッドゴムがアンダートレッドゴムまで貫通して配置されている。【００８６】
図１９および図２０の試験結果に示すように、実施例１〜実施例２７の空気入りタイヤは、耐転がり抵抗性能および高速耐久性能と、電気抵抗低減性能であるタイヤ電気抵抗値とが両立され、実施例１１、実施例１２、実施例２４〜実施例２７の空気入りタイヤは、さらに高速安定性能が改善されていることが分かる。
【符号の説明】
【００８７】
１  空気入りタイヤ
２  トレッド部
２１  トレッド面
２Ａ  トレッドゴム
２Ａａ  キャップトレッドゴム
２Ａｂ  アンダートレッドゴム
４  サイドウォール部
４Ａ  サイドゴム
５  ビード部
５Ａ  リムクッションゴム
６  カーカス層
９  インナーライナー層
１１  導電性ゴム
１１ａ  一端
１１ｂ  他端
１２  アーストレッドゴム
Ｒ  リム
【図１】
0005831650.tif 000002
【図２】
0005831650.tif 000003
【図３】
0005831650.tif 000004
【図４】
0005831650.tif 000005
【図５】
0005831650.tif 000006
【図６】
0005831650.tif 000007
【図７】
0005831650.tif 000008
【図８】
0005831650.tif 000009
【図９】
0005831650.tif 000010
【図１０】
0005831650.tif 000011
【図１１】
0005831650.tif 000012
【図１２】
0005831650.tif 000013
【図１３】
0005831650.tif 000014
【図１４】
0005831650.tif 000015
【図１５】
0005831650.tif 000016
【図１６】
0005831650.tif 000017
【図１７】
0005831650.tif 000018
【図１８】
0005831650.tif 000019
【図１９】
0005831650.tif 000020
【図２０】
0005831650.tif 000021